(57)【要約】【課題】電池ケースのような出入部材の収容時での出入部材の前面と前パネルの前面とを精度良く位置合わせして、好適な外観が維持できるようにする。【解決手段】テーブルこんろ１の器体２内に、前パネル６に形成した開口２２を介して電池ケース１３を出し入れ可能に収容する収容部２１を形成し、収容部２１の後部内面に、電池ケース１３を引き出し方向へ付勢する端子バネ２４を設ける一方、電池ケース１３の下面に、係止突起１７を有する操作ツマミ１６を設けて、前パネル６の開口２２の下縁に、電池ケース１３の収容位置で係止突起１７が係止する係止片２５を延設して、電池ケース１３の収容位置を前パネル６に対して決定するようにした。【選択図】図４
2011047588.tif 000002
【特許請求の範囲】
【請求項１】
前面に前パネルを有する器体内に、前記前パネルに形成した開口を介して出入部材を出し入れ可能に収容する収容部を形成し、前記収容部又は出入部材に、前記出入部材の前記収容部への収容位置で前記出入部材を引き出し方向へ付勢する付勢手段を設ける一方、前記器体と出入部材との間に、前記出入部材の前記収容位置で互いに係止し、前記付勢手段に抗して前記出入部材を前記収容位置に保持させる係止部を夫々設けた加熱調理器であって、
前記器体側の前記係止部を前記前パネルに設けて、前記出入部材の前記収容位置を前記前パネルに対して決定したことを特徴とする加熱調理器。
【請求項２】
前記出入部材側の前記係止部を、前記出入部材の出し入れ方向と直交する方向に弾性を有して前記開口内に露出する操作ツマミに設けた係止突起とする一方、前記前パネル側の前記係止部を、前記前パネルの前記開口の端縁に延設され、前記出入部材の収容位置で前記係止突起が係止する係止片としたことを特徴とする請求項１に記載の加熱調理器。
【発明の詳細な説明】
【技術分野】
【０００１】
本発明は、テーブルこんろ等の加熱調理器に関する。
【背景技術】
【０００２】
テーブルこんろ等の加熱調理器においては、動作電源として乾電池を使用するものがある。この乾電池は、例えば特許文献１に開示の如く、蓋付きの電池ケースに収納されて、その電池ケースごと、器体前面の前パネルに設けられた開口を介して器体内の電池ボックスへ出し入れ可能に収容されている。具体的には、電池ケースの後壁には端子バネが設けられて電池ケースを引き出し方向へ付勢する一方、電池ケースの底面には、復元力を持つ板状体であるストッパー手段が設けられて、電池ケースを端子バネの付勢に抗して電池ボックス内へ押し込むと、ストッパー手段に設けた係止凸起が電池ボックスに設けた係止穴に係止して、蓋が前パネルの開口を閉塞する収容位置でロックされる構造となっている。電池交換の際にはストッパー手段に設けた操作ツマミを持ち上げると、係止凸起が係止穴から外れて端子バネの付勢によって前方へ押し出されることになる。また、特許文献２には、電池ケースを収容する収容枠体を、奥方向の斜め上方へ傾斜して設けて電池ケースを傾斜状に保持したコンロが記載されている。
【先行技術文献】
【特許文献】
【０００３】
【特許文献１】特開平８−２５００８８号公報
【特許文献２】特開２００４−１２５３３５号公報
【発明の概要】
【発明が解決しようとする課題】
【０００４】
しかし、特許文献１，２の構造においては、何れも電池ケースの収容部となる電池ボックスや収容枠体に対して電池ケースの係止凸起を係止させているため、器体に対する電池ボックスの取付誤差等によって電池ケースの前面と前パネルの前面との位置が合わず、電池ケースの前面が前パネルの前面から突出したり、逆に没入したりして外観を損なうおそれがある。このような位置ずれは、電池ケース以外にも操作パネルやグリル等、前パネルから出入する他の部材（以下このような部材を「出入部材」という。）においても起こり得る。
【０００５】
そこで、本発明は、前パネルから出入する出入部材の収容時での出入部材の前面と前パネルの前面とを精度良く位置合わせでき、好適な外観が維持できる加熱調理器を提供することを目的としたものである。
【課題を解決するための手段】
【０００６】
上記目的を達成するために、請求項１に記載の発明は、前面に前パネルを有する器体内に、前パネルに形成した開口を介して出入部材を出し入れ可能に収容する収容部を形成し、収容部又は出入部材に、出入部材の収容部への収容位置で出入部材を引き出し方向へ付勢する付勢手段を設ける一方、器体と出入部材との間に、出入部材の収容位置で互いに係止し、付勢手段に抗して出入部材を収容位置に保持させる係止部を夫々設けた加熱調理器であって、器体側の係止部を前パネルに設けて、出入部材の収容位置を前パネルに対して決定したことを特徴とするものである。
請求項２に記載の発明は、請求項１の構成において、出入部材側の係止部を、出入部材の出し入れ方向と直交する方向に弾性を有して開口内に露出する操作ツマミに設けた係止突起とする一方、前パネル側の係止部を、前パネルの開口の端縁に延設され、出入部材の収容位置で係止突起が係止する係止片としたことを特徴とするものである。
【発明の効果】
【０００７】
請求項１に記載の発明によれば、器体に対する収容部の取付誤差等があっても、出入部材の収容時での蓋部の前面と前パネルの前面とを精度良く位置合わせできる。よって、出入部材の収容位置のばらつきが少なくなり、好適な外観が維持可能となる。
請求項２に記載の発明によれば、請求項１の効果に加えて、前パネルの開口際で出入部材の収容位置が簡単且つ確実に決定可能となる。
【図面の簡単な説明】
【０００８】
【図１】テーブルこんろの斜視図である。
【図２】電池ケース部分の拡大斜視図である。
【図３】電池ケースの説明図で、（Ａ）が正面、（Ｂ）が平面、（Ｃ）が右側面、（Ｄ）が底面を夫々示す。
【図４】テーブルこんろにおける電池ケース部分の断面図で、（Ａ）が電池ケースの収容状態、（Ｂ）が引き出し状態を夫々示す。
【発明を実施するための形態】
【０００９】
以下、本発明の実施の形態を図面に基づいて説明する。
図１は、テーブルこんろの斜視図で、テーブルこんろ１は、器体２の上部に設けた天板３に二組のこんろバーナ４，４を備える一方、こんろバーナ４，４の間で器体２内にグリル５を備えてなる。器体２の正面には前パネル６が設けられ、前パネル６におけるグリル５の左右には、こんろバーナ４及びグリル５の点消火用の操作ボタン７，７・・と火力調整レバー８，８・・とが設けられている。９はこんろバーナ４上で調理容器を載置する五徳、１０はグリル５の排気口である。
【００１０】
前パネル６は、上端から下方へ行くに従って前方へ突出する前下がり傾斜状に形成されて下端近くの部位が最も前方へ突出し、そこから下部分は、上部分と逆に下方へ行くに従って後方へ後退する後下がり傾斜状に形成されている。さらに、前パネル６の左右の側縁と上下傾斜の境界部分とには、他の部分よりも前方へ突出した突条１１が形成されて、操作ボタン７とグリル５の取っ手１２の前面形状は境界部分の突条１１に合わせた凸形状に形成されて前パネル６の前面と連続している。
【００１１】
１３は出入部材の一例である電池ケースで、図２，３に示すように、操作ボタン７と同様に前パネル６の突条１１に合わせて前面が凸形状に形成された蓋部１４と、蓋部１４の後方に連設されて上方を開放する箱状のケース部１５とからなり、ケース部１５に２つの乾電池を直列に保持可能となっている。また、ケース部１５の下面には、上下方向に弾性を有して下面に係止突起１７を突設した操作ツマミ１６が、前方へ向けて突設されて、蓋部１４の下方で前後方向に設けた溝１８内に先端を突出させている。この係止突起１７が電池ケース１３側の係止部となる。さらに、ケース部１５の左側面には、コ字状の切込みによって左右方向に弾性を有し、外面に突起２０を突設したストッパ１９が形成されている。
【００１２】
一方、器体２には、電池ケース１３の収容部２１が形成されている。この収容部２１は、図４に示すように、前パネル６に形成した開口２２から挿入した電池ケース１３を前後方向で、且つ後方へ行くに従って上昇する前下がり傾斜状に収容するボックス状で、左右の側面には、電池ケース１３を出し入れ方向へ案内する支持片２３，２３が切り起こし形成され、後部内面には、電池ケース１３に収容された乾電池の負極に当接する付勢手段としての端子バネ２４が設けられている。
【００１３】
そして、前パネル６における開口２２の下縁には、器体２側の係止部となる係止片２５が延設されている。この係止片２５は、電池ケース１３を収容部２１内へ端子バネ２４の付勢に抗して押し込んだ状態で操作ツマミ１６の係止突起１７が弾性的に係止するもので、この係止状態で電池ケース１３は、蓋部１４が開口２２を閉塞してその前面が前パネル６の前面と連続状に位置する図２及び図４（Ａ）の収容位置に保持される。このとき、端子バネ２４は収縮して電池ケース１３を前方へ付勢した状態となり、操作ツマミ１６の先端は溝１８を通して開口２２内に露出している。
【００１４】
以上の如く構成されたテーブルこんろ１においては、図示しない乾電池を収容した電池ケース１３を開口２２から収容部２１に挿入し、そのまま後方へ押し込むと、前述のように操作ツマミ１６の係止突起１７が係止片２５に係止する収容位置で電池ケース１３は保持され、蓋部１４の前面は前パネル６の前面と面一になる。
そして、乾電池を交換する際には、操作ツマミ１６の先端を溝１８内で上方へ起こすように操作すれば、係止突起１７が係止片２５から外れると共に、端子バネ２４の付勢によって電池ケース１３は収容部２１内を前方へスライドし、図４（Ｂ）に示すように、ストッパ１９の突起２０が収容部２１に設けた図示しない被係止部に係止する位置まで突出する。よって、ケース部１５が露出して乾電池の交換が可能となる。交換後は再び蓋部１４を介して収容部２１へ押し込めば、収容位置で保持される。
【００１５】
このように、上記形態のテーブルこんろ１によれば、器体２側の係止部となる係止片２５を前パネル６に設けて、電池ケース１３の収容位置を前パネル６に対して決定したことで、器体２に対する収容部２１の取付誤差等があっても、電池ケース１３の収容時での蓋部１４の前面と前パネル６の前面とを精度良く位置合わせできる。よって、電池ケース１３の収容位置のばらつきが少なくなり、好適な外観が維持可能となる。
特にここでは、電池ケース１３側の係止部を、電池ケース１３の出し入れ方向と直交する上下方向に弾性を有して開口２２内に露出する操作ツマミ１６に設けた係止突起１７とする一方、前パネル６側の係止部を、開口２２の端縁に延設され、電池ケース１３の収容位置で係止突起１７が係止する係止片２５としているので、前パネル６の開口際で電池ケース１３の収容位置が簡単且つ確実に決定可能となる。
【００１６】
なお、上記形態では、電池ケースの下面に操作ツマミを設けて前パネルの係止片と係止させているが、操作ツマミを電池ケースの側面や上面に設けて前パネルと係止させても差し支えない。
また、係止部の構造も上記形態に限らず、例えば電池ケース側ではストッパのような切り起こし片に突起を形成したり、前パネル側では係止片に代えて突起を設けたり等の設計変更が可能である。さらに、上記形態と逆に前パネル側に操作ツマミを、電池ケース側に係止片を設けることもできる。
【００１７】
一方、収容部も、上記形態のように傾斜状に形成するものに限らず、水平に形成してもよいし、前パネルの形態も、突条のないものや、上下に傾斜のないものであってもよい。また、付勢手段となる端子バネは、電池ケース側に設けてもよいし、板バネ等の他の形態を採用してもよい。
その他、出入部材としては電池ケースに限らず、前パネルから出し入れされる操作パネルやグリルであっても同様に係止部を前パネルに設けることで収容位置を前パネルに対して決定できる。従って、本発明はテーブルこんろに限らず、前パネルから出入する出入部材を備えた加熱調理器であれば、ビルトインこんろや単体のグリル等に対しても適用可能である。
【符号の説明】
【００１８】
１・・テーブルこんろ、２・・器体、３・・天板、４・・こんろバーナ、５・・グリル、６・・前パネル、７・・操作ボタン、１１・・突条、１３・・電池ケース、１４・・蓋部、１５・・ケース部、１６・・操作ツマミ、１７・・係止突起、１８・・溝、１９・・ストッパ、２０・・突起、２１・・収容部、２２・・開口、２４・・端子バネ、２５・・係止片。
【図１】
2011047588.tif 000003
【図２】
2011047588.tif 000004
【図３】
2011047588.tif 000005
【図４】
2011047588.tif 000006